(57)【要約】【課題】  軒樋の梱包形態により全体長さが長くなったり、外形状が変化しても対応でき、積載状態も秩序ある状態にならしめ、積載効率も良く、コストも安価である軒樋積載用パレットを提供する。【解決手段】  複数本の軒樋が一体に束ねられて梱包された軒樋を積載するための軒樋積載用パレットであって、該パレットは、所定の間隔をおいて配置された複数本の桁板１３と、この桁板の上面および下面に桁板と直交するように所定の隙間を置いて配置固定された複数の上板１１および下板１２とからなり、該パレットの長手方向の両端部上面が隙間のないフラット面とされていることを特徴とする軒樋積載用パレット３。【選択図】  図３
2005170481.tif 000002
【特許請求の範囲】
【請求項１】
複数本の軒樋が一体に束ねられて梱包された軒樋を積載するための軒樋積載用パレットであって、該パレットは、所定の間隔をおいて配置された複数本の桁板と、この桁板の上面および下面に桁板と直交するように所定の隙間を置いて配置固定された複数の上板および下板とからなり、該パレットの長手方向の両端部上面が隙間のないフラット面とされていることを特徴とする軒樋積載用パレット。
【請求項２】
パレットの幅に略等しい長さを有する板材と、この板材の一側部下面に固定された桁板とからなる補助パレット部材が、その桁板側面をパレットの両端に位置している桁板側面に当接した状態で、パレットの長手方向の両端部上面が補助パレット部材の板材にて覆われている請求項１記載の軒樋積載用パレット。
【発明の詳細な説明】
【技術分野】
【０００１】
本発明は、家屋の軒に配設される軒樋の積載用パレットに関するものであり、詳しくは、軒樋の梱包形態の変化に対応できる、積載用パレットの構造に関するものである。
【背景技術】
【０００２】
従来、工場において押出成形法などにより連続的に生産され、定尺寸法に切断され、複数本が一体に束ねられて梱包される長尺の雨樋（軒樋、縦樋など）は、極力嵩張らないように、例えば、軒樋の開口部を互いに嵌め合わせ２本を一組としてパレット上に載置したり、軒樋の短手側壁を組み合わせ、卍型にして４本を一組として束ねて結束し、パレット上に載置してきた。これらの軒樋の嵌め合わせ、組み合わせ、梱包、パレット上への載置は、人手による手作業で工数を掛けて行われてきていた。
【０００３】
しかしながら、上記のような結束時の作業は、人手を要するとともに、工数が大幅にかかり、製品のコストアップにつながるといった問題があった。特に、最近多く生産される軒樋の形状・構造は軒先一体型となっているので、従来の軒樋の生産ラインにおける台車への積載と梱包を行うのが困難となっている。
【０００４】
結束時の人手作業の問題点については、軒樋の生産ラインにおいて、この軒樋の複数本を（例えば２本、又は４本など）人手を使わずに、自動的に集束し、パレット上へ載置することが可能な軒樋の自動集束する方法が提供されて解消されている。また、さらに、この後の複数の軒樋の集束体をパレット上に載置させる工程おいては、整然と秩序ある積載が求められるが、この為のパレットの構造についても例示がなされている（例えば、特許文献１参照）。
【０００５】
特許文献１に例示されているパレットは、複数の仕切棒で軒樋の幅より若干広い幅に仕切られ、それぞれの底面は受台側が低くなるように傾斜され、重ね合わされた４本の軒樋を載置したとき、受台側に寄っているものである。このようにして、何段にも積んでも荷崩れしないように試みがなされている。
【０００６】
しかし、特許文献１の方法によって卍型にして４本を一組として結束された軒樋は、結束された後、通常、一旦仕掛かり保管され、軒樋外装全体を段ボール梱包する包装形態がとられたり、あるいは軒樋外装全体をクラフト紙で包み、両端に段ボールのキャップを取り付け、両端に段ボールで荷重を支える包装形態がとられ、この後、軒樋の積載用パレットに積載される。
【特許文献１】特開平２０００−２５９３５号公報（第１頁〜第７頁）
【発明の開示】
【発明が解決しようとする課題】
【０００７】
特許文献１に例示されているパレットは、梱包により比較的嵩張った軒樋は、複数の仕切棒で軒樋の幅より若干広い幅に仕切られた場合、空隙があいたり、積載状態も秩序ある状態に成り難く、積載効率が悪くなる場合がある。
【０００８】
また、梱包された軒樋は、包装形態により、全体長さが長くなったり、積載用パレット上板のすきまへ嵌まり込んだりなどして、積載が安定せず、荷崩れを起したりする場合があるという問題点がある。
【０００９】
本発明の目的は、軒樋の梱包形態により全体長さが長くなったり、外形状が変化しても対応でき、積載状態も秩序ある状態にならしめ、積載効率も良く、コストも安価である軒樋積載用パレットを提供することにある。
【課題を解決するための手段】
【００１０】
本発明は、上記目的を達成するためになされたものであり、請求項１記載の発明は、  複数本の軒樋が一体に束ねられて梱包された軒樋を積載するための軒樋積載用パレットであって、該パレットは、所定の間隔をおいて配置された複数本の桁板と、この桁板の上面および下面に桁板と直交するように所定の隙間を置いて配置固定された複数の上板および下板とからなり、該パレットの長手方向の両端部上面が隙間のないフラット面とされていることを特徴とする軒樋積載用パレットである。
【００１１】
また、請求項２記載の発明は、パレットの幅に略等しい長さを有する板材と、この板材の一側部下面に固定された桁板とからなる補助パレット部材が、その桁板側面をパレットの両端に位置している桁板側面に当接した状態で、パレットの長手方向の両端部上面が補助パレット部材の板材にて覆われている請求項１記載の軒樋積載用パレットである。
【００１２】
本発明で用いられる軒樋積載用パレットの構成部材の材質としては、特に限定されるものではないが、例えば、木質系材料や、硬質塩化ビニル樹脂、ポリエチレン、ポリプロピレンなどの合成樹脂、ＦＲＰの様な繊維強化樹脂、あるいはこれらの複合体（積層体）によって形成される。また、補助パレット部材は、釘等にて定尺パレットの両端部に固定すればよい。
【発明の効果】
【００１３】
本発明の軒樋積載用パレットでは、所定の間隔をおいて配置された複数本の桁板と、この桁板の上面および下面に桁板と直交するように所定の隙間を置いて配置固定された複数の上板および下板とからなるパレットの長手方向の両端部上面が隙間のないフラット面とされているので、軒樋が嵌って荷崩れが起こることがなく、秩序ある状態に積載することができ、積載効率も良く、コストも安価となる。
【００１４】
また、軒樋の梱包形態により全体の長さが若干長くなる場合は、たとえば、パレットの幅に略等しい長さを有する板材と、この板材の一側部下面に固定された桁板とからなる補助パレット部材を準備し、その桁板側面をパレットの両端に位置している桁板側面に当接した状態で、パレットの長手方向の両端部上面を補助パレット部材の板材にて覆うことで実質的にパレットの全長を長くして、対応することができる。
【発明を実施するための最良の形態】
【００１５】
以下、本発明の実施の形態を、図面を参照にして説明する。これらは、本発明の一例の実施形態を示したものである。
図１は、本発明の軒樋積載用パレットを構成している定尺の軒樋積載用パレットの一例を示すもので、（ａ）は正面図、（ｂ）は平面図、（ｃ）は側面図である。
【００１６】
図１において、１は定尺の軒樋積載用パレットであり、その材質は木製である。１１は上板、１２は下板であり、各々一定間隔で配置して、桁板１３を介して釘等にて固定されている。定尺の軒樋積載用パレット１の寸法は約４０００ミリ×１１１０ミリ×１４４ミリである。上板１１、下板１２の寸法は約４０００ミリ×１４０ミリ×２２ミリである。上板１１、１１間の隙間は、約３０ミリ、下板１２、１２間の隙間は、約１８３ミリである。この場合、定尺の軒樋積載用パレット１の長さは，梱包前の軒樋の長さと略同一である。図示はしないが、定尺の軒樋積載用パレット１の長手方向の両端部の両側端には、積載した梱包軒樋の落下を防止する支柱を差し込むためのガイド筒が８箇所に設置されている。
【００１７】
図２は、本発明の軒樋積載用パレットを構成している補助パレット部材の一例を示す斜視図である。
図２において、２は木製の補助パレット部材であり、パレットの幅に略等しい長さを有する板材２１と、この板材２１の一側端下面に釘等にて固定された角柱状の桁板２２とからなっている。板材２１の寸法は約９７０ミリ×４００ミリ×５．５ミリである。桁板２２の寸法は約１０００ミリ×１２０ミリ×５０ミリである。この場合、板材２１は短尺の一枚板であるが、隙間を設けないで配置された複数枚の板材であっても良い。
【００１８】
図３は、本発明の軒樋積載用パレットの一例を示す正面図である。
図３に示すように、補助パレット部材２が、その桁板２２側面を定尺の軒樋積載用パレット１の両端に位置している桁板１３側面に当接した状態で釘等にて固定されて、本発明の軒樋積載用パレットとされている。その結果、パレットの長手方向の両端部上面が補助パレット部材２の板材２１にて覆われて、隙間のないフラット面とされている。
【００１９】
すなわち、この場合、短尺の一枚の板であるため、パレットの両端部上面には、軒樋積載用パレット３の中央部の様に上板１１の間の隙間がない。また、定尺の軒樋積載用パレット１の長さは、梱包前の軒樋の長さと略同一であったが、軒樋積載用パレット３の長さは、補助パレット部材を構成している角柱状の桁板２２の厚み（５０ミリ）の２枚分だけ実質的に長いパレットになっている。なお、軒樋積載用パレット３の両端部上面は、補助パレット部材の板材２１の厚み分だけ他の部分よりも高くなっている。
【００２０】
図４は、卍型にして４本を一組として結束された軒樋の端部を示す図である。これは、押出成形により押し出された後、前方に配設された受台のガイド上を滑動して搬送され、定尺に切断された４本の軒樋を自動的に集束された軒樋であって、受台のガイド上に置かれた軒樋を、受台に取り付けられた把持回動手段で掴んで、軒樋を回動させて、集束手段で軒樋を複数重ね合わせ、複数の軒樋を集束体として自動結束されたものである。
【００２１】
図５は、卍型にして４本を一組として結束された軒樋の一例を示す斜視図であり、５は梱包材のクラフト紙を示す。結束された軒樋は、軒樋外装全体を数枚のクラフト紙で包まれる。クラフト紙の上に軒樋が載せられ、テープで長手方向と周方向３カ所程度を仮止めされる。
【００２２】
図６は、図４の軒樋の梱包状態を示すもので、（ａ）は斜視図、（ｂ）は端部の断面図である。
図６（ａ）において、軒樋４外装全体は、数枚のクラフト紙５で包まれ、ＰＰバンド８が４カ所掛けられ、結束されている。軒樋４の端部は、補強用ダンボールキャップ６により、補強される。
【００２３】
軒樋の包装形態により、軒樋積載用パレットへ積載された場合の状態を説明する。
定尺の軒樋積載用パレット１は、軒樋の梱包形態により、ほぼ定尺である場合、また、上板１１の隙間に製品が嵌まり難い様な梱包形態をとる場合、使用されるものである。例えば、卍型にして４本を一組として結束された軒樋外装全体を段ボール梱包する梱包形態をとられる場合、この軒樋積載用パレット１に秩序良く積載されることができる。
【００２４】
一方、図６に示す、卍型にして４本を一組として結束された軒樋の梱包形態である場合、端部の補強用ダンボールキャップ６が、全体の梱包長さを大きくし、定尺の軒樋積載用パレット１が使用された場合、同パレット１の端から一部がはみ出てしまう状態となる。また、この場合、上板１１の隙間に製品が嵌まり荷崩れを起してしまう。
【００２５】
前記の梱包形態を取る場合、図３に示す、定尺の軒樋積載用パレット１の両端に、短尺の補助パレット２を接合した軒樋積載用パレット３が用いられる。この場合、軒樋積載用パレット３は、卍型にして４本を一組として結束された軒樋の梱包形態であり、端部に補強用ダンボールキャップ６が装着されて、全体の梱包長さが大きい場合も、軒樋積載用パレット３から製品がはみ出ることなく使用できる。
【００２６】
さらに、図３の軒樋積載用パレット３が用いられる場合、短尺の補助パレット２の上板２１に隙間がない為、製品がはまり荷崩れを起してしまうことはない。
【００２７】
図７は、本発明の軒樋積載用パレットに、卍型にして４本を一組として結束され梱包された軒を積載した状態の一例を示す図である。
図７において、車輪９３を持つ台車９２の上に軒樋積載用パレット３が乗せられ、パレットの幅端には支柱９１が立てられて、軒樋が脱落しない様にしている。図６に示す、卍型にして４本を一組として結束された軒樋の両端部に、補強用ダンボールキャップ６が装着されて梱包された軒樋７も、秩序良く荷崩れすることなく積載された状態を示している。
【００２８】
以上のように、本発明の軒樋積載用パレットは、所定の間隔をおいて配置された複数本の桁板と、この桁板の上面および下面に桁板と直交するように所定の隙間を置いて配置固定された複数の上板および下板とからなるパレットの長手方向の両端部上面が隙間のないフラット面とされている軒樋積載用パレットであるので、軒樋が嵌って荷崩れが起こることがなく、秩序ある状態に積載することができ、積載効率も良く、コストも安価となる。
【００２９】
また、軒樋の梱包形態により全体の長さが若干長くなる場合は、たとえば、パレットの幅に略等しい長さを有する板材と、この板材の一側部下面に固定された桁板とからなる補助パレット部材を準備し、その桁板側面をパレットの両端に位置している桁板側面に当接した状態で、パレットの長手方向の両端部上面を補助パレット部材の板材にて覆うことで実質的にパレットの全長を長くして、対応することができる。
【図面の簡単な説明】
【００３０】
【図１】本発明の軒樋積載用パレットにおける、定尺の軒樋積載用パレットの一例を示す平面図、正面図および側面図である。
【図２】本発明の軒樋積載用パレットにおける補助パレット部材の一例を示す斜視図である。
【図３】本発明の軒樋積載用パレットの一例を示す正面図である。
【図４】卍型にして４本を一組として結束された軒樋の端部を示す図である。
【図５】図４の卍型に結束された軒樋をクラフト紙で包装する前の状態を示す斜視図である。
【図６】図４の軒樋の梱包状態を示す斜視図および断面図である。
【図７】本発明の軒樋積載用パレットに、図６の梱包軒樋を積載した状態を示す説明図である。
【符号の説明】
【００３１】
１  定尺の軒樋積載用パレット
１１  上板
１２  下板
１３  桁板
２  補助パレット部材
２１  上板
２２  桁板
３  軒樋積載用パレット
４  軒樋
５  クラフト紙
６  補強用ダンボールキャップ
７  梱包された軒樋
【図１】
2005170481.tif 000003
【図２】
2005170481.tif 000004
【図３】
2005170481.tif 000005
【図４】
2005170481.tif 000006
【図５】
2005170481.tif 000007
【図６】
2005170481.tif 000008
【図７】
2005170481.tif 000009